(57)【要約】      （修正有）【課題】設定した規制位置に対する検眼部の位置が把握できる眼科装置を提供する。【解決手段】被検眼に対して前後に移動可能な且つ被検眼の検査または測定を行う検眼部と、被検眼の前眼部を表示する表示部１０とを備え、検眼部の前後方向の移動可能な範囲内で、検眼部の前方への移動を禁止する規制位置が任意に設定可能な眼科装置であって、検眼部の移動可能な範囲を示すスケール画像Ｇ１と、このスケール画像Ｇ１に対応させて規制位置を示す規制位置画像Ｇ５と、そのスケール画像Ｇ１に対応させて検眼部の現在位置を示すマーク像Ｇ４とを表示部１０に表示する。【選択図】図４
2013000319.tif 000002
【特許請求の範囲】
【請求項１】
被検眼に対して少なくもと前後に移動可能な且つ被検眼の検査または測定を行う検眼部と、前記被検眼の前眼部を表示する表示部とを備え、前記検眼部の前後方向の移動可能な範囲内で、該検眼部の前方への移動を禁止する規制位置が任意に設定可能な眼科装置であって、
前記検眼部の移動可能な範囲を示す表示マークと、この表示マークに対応させて前記規制位置を示す規制位置マークと、その表示マークに対応させて前記検眼部の現在位置を示す現在位置マークとを前記表示部に表示することを特徴とする眼科装置。
【請求項２】
前記表示マークがスケールであることを特徴とする請求項１に記載の眼科装置。
【請求項３】
操作手段の操作によって、前記検眼部が規制位置に移動されたとき、該検眼部がこれ以上前方へ移動しないことを示す警告表示が行われることを特徴とする請求項１または請求項２に記載の眼科装置。
【請求項４】
前記表示部が前記検眼部の両側面側に配置移動可能とされ、一方の側面側に配置移動させた場合、被検者側となる該表示部の一端側に前記表示マークと規制位置マークと現在位置マークとを表示することを特徴とする請求項１ないし請求項３のいずれか１つに記載の眼科装置。
【発明の詳細な説明】
【技術分野】
【０００１】
この発明は、被検眼に対して少なくとも前後に移動可能な検眼部を備えた眼科装置に関する。
【背景技術】
【０００２】
従来から、被検眼に対して測定部を前後に移動させてアライメントを行い、この後に被検眼を測定する眼科装置が知られている（特許文献１参照）。
【０００３】
かかる眼科装置は、眼屈折力を測定する測定光学系と、被検眼に対する測定光学系のアライメントを検出するアライメント検出手段などとを備え、これら測定光学系やアライメント検出手段などはＸＹＺ方向に移動可能な測定部に設けられている。
【０００４】
このような眼科装置は、表示部に瞳孔やアライメント用のレチクル像が表示され、その瞳孔の中心にレチクル像が位置するようにジョイスティックあるいはタッチパネルを操作して測定部をＸＹ方向へ移動させ、レチクル像が所定の範囲内に入ると、ＸＹ方向のアライメントが自動的に行われ、この後、Ｚ方向のアライメントが自動的に行われるようになっている。
【０００５】
このような眼科装置では、測定部が被検眼に近づき過ぎると危険なので、検者が予め規制位置を設定し、この規制位置を測定部が越えないようにしたものが提案されている。
【先行技術文献】
【特許文献】
【０００６】
【特許文献１】特許第３６７６０５５号公報
【発明の概要】
【発明が解決しようとする課題】
【０００７】
しかしながら、検者が規制位置を設定しても、ジョイスティックやタッチパネルの操作で測定部を前後左右に移動させるタイプの眼科装置では、測定部が規制位置に対してどの程度近づいているのかが把握できず、測定部（検眼部）が規制位置に到達したときに突然警告されてしまうという問題がある。
【０００８】
この発明の目的は、設定した規制位置に対する検眼部の位置が把握できる眼科装置を提供することにある。
【課題を解決するための手段】
【０００９】
請求項１の発明は、被検眼に対して少なくもと前後に移動可能な且つ被検眼の検査または測定を行う検眼部と、前記被検眼の前眼部を表示する表示部とを備え、前記検眼部の前後方向の移動可能な範囲内で、該検眼部の前方への移動を禁止する規制位置が任意に設定可能な眼科装置であって、
前記検眼部の移動可能な範囲を示す表示マークと、この表示マークに対応させて前記規制位置を示す規制位置マークと、その表示マークに対応させて前記検眼部の現在位置を示す現在位置マークとを前記表示部に表示することを特徴とする。
【発明の効果】
【００１０】
この発明によれば、設定した規制位置に対して検眼部の位置を把握することができる。
【図面の簡単な説明】
【００１１】
【図１】（Ａ）は、この発明に係る眼科装置の外観図を示した左側面図、（Ｂ）は正面図である。
【図２】（Ａ）は表示部を検眼部の上に載せた状態を示した眼科装置の左側面図、（Ｂ）は正面図である。
【図３】図１に示す眼科装置の右側面図である。
【図４】表示部に表示される画面を示した説明図である。
【図５】眼科装置の制御系の構成を示したブロック図である。
【図６】表示部に表示される他の画面を示した説明図である。
【発明を実施するための最良の形態】
【００１２】
以下、この発明に係る眼科装置の実施の形態である実施例を図面に基づいて説明する。
【実施例】
【００１３】
図１ないし図３において、１は眼科装置である。この眼科装置１は、基台Ｋの上に設けられたベース部２と、検眼部３と、顎受部４と、表示部１０とから概略構成されている。その顎受部４にはこれと一体に額受部５が設けられている。
【００１４】
検眼部３の内部には、破線で示すように検眼光学系６が設けられており、この検眼光学系６は公知の観察・撮影用の観察光学系や屈折力などを測定する測定光学系を備えている。この検眼光学系６により、被検者の前眼部、被検眼の角膜、眼底等が観察・撮影可能であり、眼底の検査なども行なえるようになっている。
【００１５】
検眼部３は、被検眼に対して上下左右前後方向に駆動される。すなわち、検眼部３は顎受部４に固定された被検者の顔に対して上下左右前後方向に移動可能となっている。
【００１６】
表示部１０には、図４に示すように、測定や検査の際に被検者の前眼部が表示される。
【００１７】
この表示部１０は、図１ないし図３に示すように、所望の位置へ自由に移動させることができるようになっている。また、表示部１０の画面Ｈにはタッチパネル（操作手段）ＴＣ１,ＴＣ２（図４参照）が貼着されており、タッチパネルＴＣ１,ＴＣ２をタッチすることにより、被検眼に対して検眼部３を前後方向に移動させることができる。また、図示しないタッチパネルをタッチすることにより検眼部３を上下左右方向に移動させることができ、また、図示しない他のタッチパネルのタッチにより各種の操作が行えるようになっている。なお、タッチパネルを総称してＴＣで示す。
［制御系］
図５は眼科装置１の制御系の構成を示したブロック図である。図５において、１００は表示部１０の画面Ｈに表示される各種のマークを登録したメモリ、１０１は検眼部３の規制位置を記憶するメモリ、１０２はメモリ１００などに登録されたマークをＣＣＤ１０５で撮像された前眼部像に合成する画像形成回路である。この画像形成回路１０２で合成された合成画像が表示部１０に表示されることになる。
【００１８】
１０４は検眼部３の前後方向（Ｚ方向）の位置を検出するＺ位置検出部であり、例えばポテンションメータなどで検眼部３の位置を検出するものである。１０５は眼底を撮像するＣＣＤなどの撮像素子、１０６はＣＣＤ１０５から出力される画像信号に基づいて眼底に投影されたリング像を抽出する画像処理回路、１０７は検眼部３のＸＹ方向のアライメント状態を検出するＸＹアライメント検出部であり、このＸＹアライメント検出部１０７は被検眼の角膜に向けてアライメント視標光を投影するＸＹアライメント指標投影光学系(図示せず)と角膜で反射されたアライメント指標光を受光するＸＹアライメント受光光学系などとから構成されている。
【００１９】
１０８は検眼部３のＺ方向のアライメント状態を検出するＺアライメント検出部であり、このＺアライメント検出部１０８は被検眼の角膜に向けてＺアライメント視標光を投影するＺアライメント指標投影光学系(図示せず)と角膜で反射されたＺアライメント指標光を受光するＺアライメント受光光学系などとから構成されている。
【００２０】
１１０は、表示部１０に貼着されたタッチパネルＴＣのタッチ操作やＸＹアライメント検出部１０７やＺアライメント検出部１０８の検出状態に基づいてＸＹＺモータＭｘ,Ｍｙ,Ｍｚを駆動制御したり、画像処理回路１０６が抽出したリング像に基づいて眼屈折力を演算したりする演算制御装置である。また、この演算制御装置１１０はＺ位置検出部１０４が検出する位置に基づいて表示部１０に検眼部３の位置を表示したりする。
［動  作］
次に、上記のように構成される眼科装置１の動作について説明する。
【００２１】
先ず、図示しない電源スイッチを投入する。この電源スイッチの投入により、検眼部３が機械中心位置（３次元方向の中心位置）に移動される。
【００２２】
例えば、被検者の左眼の検査を行う場合、図３に示すように検眼部３の右側面（図１（ｂ）を正面とした場合）に表示部１０を移動させるとともに、検者は顎受部４に被検者の顎を載せ、被検者の額を額受部５に当接させる。
【００２３】
次に、検者は表示部１０の「Ｌ」のタッチパネルＴＣを操作するとともに他の部分のタッチパネルＴＣを操作して、検眼部３の光軸とを被検者の左眼とを目視でほぼ一致させる。演算制御装置１１０は、タッチパネルＴＣのタッチ操作に応じてＸＹＺモータＭｘ,Ｍｙ,Ｍｚを制御して、検眼部３をそのタッチ操作に応じて移動させる。
【００２４】
検者は、図４に示す表示部１０のタッチパネルＴＣを操作して規制位置設定モードを設定する。
【００２５】
規制位置設定モードにより、図４に示すように、表示部１０に検眼部３のＺ方向の移動範囲を示すスケール画像（表示マーク）Ｇ１と、検眼部３を前方へ移動させるマークを示す矢印画像Ｇ２と、検眼部３を後方へ移動させるマークを示す矢印画像Ｇ３と、検眼部３の現在位置を示すマーク像（現在位置マーク）Ｇ４等とが表示される。
【００２６】
検眼部３は機械中心位置に位置されていることにより、図４の鎖線で示す位置にマーク像Ｇ４が表示されることになる。
【００２７】
検者は、被検者の左眼に検眼部３が当たらないように、矢印画像Ｇ２上のタッチパネルＴＣ１をタッチ操作して検眼部３を前方へ除々に移動させていき、これ以上検眼部３が前方へ移動したら危険である位置まで移動させる。一般的には前眼部から５mm離れた位置を設定するが、ここでは９.２mmで設定したものとして説明していく。
【００２８】
この位置に検眼部３が移動したら、その位置を規制位置として設定する。この設定は「ＯＫ」の文字が表示されているタッチパネルＴＣ３をタッチすることにより行われる。
【００２９】
演算制御装置１１０は、タッチパネルＴＣ３がタッチされると、Ｚ位置検出部１０４が検出している検眼部３の位置を規制位置としてメモリ１０１に記憶させる。
【００３０】
画像形成回路１０２は、メモリ１０１に記憶された規制位置に対応したスケール画像Ｇ１の目盛りの位置に規制位置を示す規制位置画像（規制位置マーク）Ｇ５を合成して図４に示すように表示部１０に表示させる。
【００３１】
規制位置の設定が終了したら、表示部１０の矢印画像Ｇ３上のタッチパネルＴＣをタッチ操作して検眼部３を後方へ移動させる。後方へ移動される検眼部３の位置はＺ位置検出部１０４により検出され、図４に示すように、その検出位置に応じたスケール画像Ｇ１の目盛りの位置に、検眼部３の現在位置を示すマーク画像Ｇ４が表示される。
【００３２】
検眼部３を再度前方へ移動させる必要が生じたとき、検者は、表示部１０のタッチパネルＴＣ１をタッチ操作して検眼部３を前方へ移動させていく。
【００３３】
検眼部３が規制位置に達すると、演算制御装置１１０はＺモータＭｚの駆動を停止させて検眼部３が規制位置より前方へ行かないようにする。また、演算制御装置１１０は、図６に示すように表示部１０に「ＴＯＯＣＬＯＳＥ」を表示して、これ以上検眼部３が前方へ行かないことを警告表示する。
【００３４】
この前方への移動の際、検眼部３の現位置を示すマーク画像Ｇ４がスケール画像Ｇ１の目盛りに対応させて表示されるので、検眼部３が前後方向の移動可能な範囲のどの位置に位置しているかや、規制位置に対する検眼部３の位置を把握することができる。しかも、検眼部３が規制位置に達した場合、マーク画像Ｇ４と規制位置画像Ｇ５とがスケール画像Ｇ１の目盛り上で一致するので、検眼部３が規制位置にきたことも確認できることになる。つまり、検眼部３が規制位置にきたことを把握することができる。
【００３５】
ＸＹアライメントを行う場合、ＸＹアライメント検出部１０７のＸＹアライメント指標投影光学系によってアライメント指標光束を被検眼の角膜に向けて投影する。このアライメント指標光束の投影により、図４に示すように被検眼の瞳孔像Ｅａ上に輝点像Ｔが形成され、この輝点像Ｔが表示部１０の瞳孔像Ｅａの中心に位置するように、図４に示す表示部１０のタッチパネルＴＣを操作する。この操作により、演算制御装置１１０がＸＹモータＭｘ,Ｍｙを駆動し、検眼部３が左右上下に移動する。
【００３６】
これら移動により、粗アライメント領域(図示せず)に輝点像Ｔが入ると、オートアライメントが実行されて精密なＸＹアライメントが行われる。
【００３７】
このＸＹアライメントは、ＸＹアライメント検出部１０７の検出結果に基づいて演算制御装置１１０がＸＹモータＭｘ,Ｍｙを駆動制御して行われる。
【００３８】
ＸＹアライメントが完了すると、Ｚアライメント検出部１０８のＺアライメント投影光学系によりＺアライメント指標光が角膜に投影され、Ｚアライメント指標光が角膜で反射してＺアライメント検出部１０８のＺアライメント受光光学系の例えばラインセンサなどに受光される。演算制御装置１１０は、Ｚアライメント検出部１０８の検出結果に基づいてＺモータＭｚを駆動制御してＺアライメントを行う。
【００３９】
Ｚアライメントが完了すると、演算制御装置１１０が検眼部３の検眼光学系６によって例えば眼底上にリング像を投影するとともに、このリング像をイメージセンサ(図示せず)で受光し、イメージセンサのリング像を画像処理回路１０６で抽出し、この抽出したリング像に基づいて被検眼の眼屈折力を求め、この結果を表示部１０に表示させる。
【００４０】
被検者の左眼を検査する場合、図４に示すように表示部１０の右側に、スケール画像Ｇ１と規制位置画像Ｇ５やマーク画像Ｇ４が表示されるので、図３に示すように検眼部３の右側面に表示部１０を移動させておくことにより、表示部１０と被検眼の左眼を見ながら規制位置の設定や被検眼の測定が行える。このため、その設定や測定がし易いものとなる。
【００４１】
右眼を検査する場合、表示部１０を検眼部３の左側面に移動させ、表示部１０の「Ｒ」のタッチパネルＴＣをタッチして上記と同様にして規制位置を設定したりして右眼の測定を行う。この場合、図４に示すように表示部１０の左側に、スケール画像Ｇ１ａと規制位置画像Ｇ５ａやマーク画像Ｇ４ａが表示されるので、上記と同様な効果が得られる。
【００４２】
上記実施例は、眼屈折力を求める眼科装置１について説明したが、この発明は、これに限らず、例えば眼圧計、眼底カメラ、角膜内皮細胞撮影装置などや、他の眼科装置であってもよく、少なくとも被検眼に対して検眼部が前後方向に移動するタイプの眼科装置であればよい。
【００４３】
また、上記実施例では、検眼部３の前後方向の移動をタッチパネルの操作で行うようになっているが、ジョイスティック（操作手段）や他の操作部（操作手段）の操作で行うようにしてもよい。
【００４４】
この発明は、特許請求の範囲の各請求項に係る発明の要旨を逸脱しない限り、設計の変更や追加等は許容される。
【符号の説明】
【００４５】
１        眼科装置
３        検眼部
１０        表示部
Ｇ１        スケール画像（表示マーク）
Ｇ４        マーク像（現在位置マーク）
Ｇ５        規制位置画像（規制位置マーク）
【図１】
2013000319.tif 000003
【図２】
2013000319.tif 000004
【図３】
2013000319.tif 000005
【図４】
2013000319.tif 000006
【図５】
2013000319.tif 000007
【図６】
2013000319.tif 000008